Podtech/llm-jp-corpus-v4-ja_patent huggingface dataset:
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
ＩＯＬ（１２）を受け入れるためのスペース（１９）を備えるとともに、対向する側壁上に開口（１７ａ、１７ｂ）を有するカセット本体（１３）と、
前記カセット本体（１３）を閉鎖するためのカセットリッド（２３）と、
前記カセット本体（１３）上に設けられ、前記カセットリッド（２３）により閉鎖された前記カセット本体（１３）をインジェクタ（３１）に締結し、且つ前記インジェクタに対して向きを定めることができる結合手段と、
とから構成され、
前記カセットが閉鎖されたときに、前記カセットリッド（２３）が前記受入スペース（１９）及び前記開口（１７ａ、１７ｂ）を閉鎖することを特徴とするカセット。
【請求項２】
前記カセットリッド（２３）の縁部と前記カセット本体（１３）との間にシールが設けられ、好ましくは前記カセット本体（１３）のハウジング外周の周辺溝内に構成されることを特徴とする請求項１に記載のカセット。
【請求項３】
前記インジェクタ（３１）上の第２の結合手段と回転可能に相互作用することができる第１の結合手段が前記カセット（１１）上に設けられることを特徴とする請求項１または２に記載のカセット。
【請求項４】
前記カセット本体（１３）は、前記カセットリッド（２３）が前記カセット（１１）の閉鎖状態で置かれ、シールを形成することができる周辺シール縁部（１９）を外部に有することを特徴とする請求項１乃至３のいずれかに記載のカセット。
【請求項５】
前記カセットリッド（２３）及び前記カセット本体（１３）を共に解除可能に接合するために、前記カセットリッド（２３）及び前記カセット本体（１３）上に相互連結手段が設けられることを特徴とする請求項１乃至４のいずれか１項に記載のカセット。
【請求項６】
前記相互連結手段は前記カセット（１１）の対向する側部に設けられて、前記カセット本体（１３）と係合状態にすることができる２つの枢動レバー（２５）により形成されることを特徴とする請求項５に記載のカセット。
【請求項７】
２つの延長部が、前記カセットリッド（２３）の短側部上に成型され、前記延長部の各々の上に前記枢動レバー（２５）のうちの１つが回転可能に配置されることを特徴とする請求項６に記載のカセット。
【請求項８】
前記受入スペース（１９）はリッドによって部分的に閉鎖されることを特徴とする請求項１乃至７のいずれかに記載のカセット。
【請求項９】
インジェクタピストン（２０）が軸方向に変位可能に誘導されるインジェクタ本体（３５）と、前記ピストンの本体に隣接するとともにカセット（１１）を受けるためのアパーチャ（３８）を有するインジェクタ前部と、前記アパーチャ（３９）に隣接するとともに近位開口及び遠位開口を有するインジェクタノズル（３３）とを備え、
請求項１乃至８のいずれかに記載のカセット（１１）は、前記アパーチャ（３９）内に配置されている又は配置可能であることを特徴とする、眼球内レンズ（３３）を排出するためのインジェクタシステム。
【請求項１０】
前記カセット本体（１３）を前記インジェクタ（３１）に接続して向きを定めるために、前記カセット本体（１３）及び前記インジェクタ（３１）上に結合手段が設けられることを特徴とする請求項９に記載のインジェクタシステム。
【請求項１１】
前記カセット本体（１３）を前記インジェクタ（３１）に接続して向きを定めるために、前記カセット本体（１３）及び前記インジェクタ（３１）上に結合手段が設けられることを特徴とする請求項１０に記載のインジェクタシステム。
【請求項１２】
前記カセット本体（１３）は、前記インジェクタ（３１）上に枢動可能に配置され、保管位置から注入位置に枢動可能であり、好ましくは前記カセット本体（１３）の回転方向を定めるための手段が設けられることを特徴とする請求項９乃至１１のいずれかに記載のインジェクタシステム。
【請求項１３】
前記カセット本体（１３）を枢動後に注入位置にロックさせる手段が設けられることを特徴とする請求項９乃至１２のいずれかに記載のインジェクタシステム。
【請求項１４】
前記ジャーナル容器（４１）内に配置されるバネ要素（２２）は、前記ジャーナル（１５）が少なくとも２つのロック位置をとることができる受入開口を有することを特徴とする請求項１１乃至１３のいずれかに記載のインジェクタシステム。
【請求項１５】
前記インジェクタ本体（３５）及びインジェクタノズル（３３）は、支持体（３７）上で互いに分離して配置され、前記インジェクタノズル（３３）及び前記インジェクタ本体（３５）間の距離は、前記カセット本体（１３）が前記アパーチャ（３９）内に回転可能に配置することができるように設計されることを特徴とする請求項９乃至１４のいずれかに記載のインジェクタシステム。
【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
（ａ）各カルボキシル末端に主としてアルギニン残基またはリシン残基のいずれかを有するポリペプチド断片の混合物を含むタンパク質加水分解組成物であって、少なくとも約０．２％の加水分解度と、約６．０よりも高いｐＨで少なくとも約８０％の可溶性固形分指数を有する組成物、および
（ｂ）可食材料、
を含む、冷菓。
【請求項２】
冷菓組成物の製造方法であって、
（ａ）各カルボキシル末端に主としてアルギニン残基またはリシン残基のいずれかを有するポリペプチド断片の混合物を含むタンパク質加水分解組成物であって、少なくとも約０．２％の加水分解度と、約６より高いｐＨで少なくとも約８０％の可溶性固形分指数を有する組成物を、少なくとも１種類の可食材料と混合し、菓子を製造する工程、および
（ｂ）前記菓子組成物を凍結し、冷菓を製造する工程、
を含む、方法。
【手続補正２】
【補正対象書類名】明細書
【補正対象項目名】０２２０
【補正方法】変更
【補正の内容】
【０２２０】
本発明を例示的な実施形態に関連して説明してきたが、説明を読めば当業者には本発明の様々な変更が明らかとなることを理解すべきである。従って、本明細書に開示される本発明は、添付の特許請求の範囲に入るこのような変更を包含するものとすることを理解すべきである。
次に、本発明の態様を示す。
1.  （ａ）各カルボキシル末端に主としてアルギニン残基またはリシン残基のいずれかを有するポリペプチド断片の混合物を含むタンパク質加水分解組成物であって、少なくとも約０．２％の加水分解度と、約６．０よりも高いｐＨで少なくとも約８０％の可溶性固形分指数を有する組成物、および
（ｂ）可食材料、
を含む、冷菓。
2.  前記タンパク質加水分解組成物が、大豆、大麦、キャノーラ、ルピナス、トウモロコシ、オート麦、エンドウ豆、ジャガイモ、米、小麦、動物、卵、およびこれらの組み合わせからなる群から選択されるタンパク質に由来する、上記１に記載の冷菓。
3.  前記タンパク質加水分解組成物が、大豆と、大麦、キャノーラ、ルピナス、トウモロコシ、オート麦、エンドウ豆、ジャガイモ、米、小麦、動物、乳製品、および卵からなる群から選択される少なくとも１種類のタンパク質との組み合わせに由来する、上記１に記載の冷菓。
4.  前記タンパク質加水分解組成物が大豆に由来し、加水分解度が約０．２％〜約１４％である、上記１に記載の冷菓。
5.  前記可食材料が、脱脂乳、全乳、クリーム、粉乳、脱脂粉乳、カゼイン酸塩、大豆タンパク質濃縮物、大豆タンパク質単離物、乳清タンパク質濃縮物、乳清タンパク質単離物、およびこれらの組み合わせからなる群から選択される、上記１に記載の冷菓。
6.  前記食品が、甘味剤、乳化剤、増粘剤、安定剤、脂質材料、保存料、香味剤、着色剤、およびこれらの組み合わせからなる群から選択される成分を更に含む、上記１に記載の冷菓。
7.  冷菓組成物の製造方法であって、
（ａ）各カルボキシル末端に主としてアルギニン残基またはリシン残基のいずれかを有するポリペプチド断片の混合物を含むタンパク質加水分解組成物であって、少なくとも約０．２％の加水分解度と、約６より高いｐＨで少なくとも約８０％の可溶性固形分指数を有する組成物を、少なくとも１種類の可食材料と混合し、菓子を製造する工程、および
（ｂ）前記菓子組成物を凍結し、冷菓を製造する工程、
を含む、方法。
8.  前記菓子を（ａ）の後、約１５５°Ｆ〜約２７０°Ｆの温度、約０．１気圧〜約１０気圧の圧力で、約３秒〜約４５分の時間、低温殺菌する工程を更に含む、上記７に記載の冷菓組成物の製造方法。
9.  前記温度が約１７５°Ｆ〜約１９５°Ｆであり、圧力約１気圧〜約１．５気圧、時間約４秒〜約２５秒である、上記８に記載の冷菓組成物の製造方法。
10.  前記菓子を（ａ）の後、１平方インチ当たり約１０００ポンド〜１平方インチ当たり約４０００ポンドで均質化する工程を更に含む、上記７に記載の冷菓組成物の製造方法。
11.  前記均質化が一段均質化である、上記１０に記載の冷菓組成物の製造方法。
12.  前記均質化が多段均質化である、上記１０に記載の冷菓組成物の製造方法。
13.  前記多段均質化が二段均質化であり、第１段階が１平方インチ当たり約２０００ポンド〜１平方インチ当たり約３０００ポンドであり、第２段階が１平方インチ当たり約２５０ポンド〜１平方インチ当たり約７５０ポンドである、上記１２に記載の冷菓組成物の製造方法。
14.  前記菓子を（ａ）の後、低温殺菌する工程と均質化する工程を更に含み、低温殺菌工程が約１５５°Ｆ〜約２７０°Ｆの温度、約０．１気圧〜約１０気圧の圧力で約４秒〜約４５分の時間であり、均質化工程が１平方インチ当たり約１０００ポンド〜１平方インチ当たり約４０００ポンドである、上記７に記載の冷菓組成物の製造方法。
15.  前記均質化工程が一段または多段である、上記１４に記載の冷菓組成物の製造方法。
16.  前記多段均質化が二段均質化であり、第１段階が１平方インチ当たり約２０００ポンド〜１平方インチ当たり約３０００ポンドであり、第２段階が１平方インチ当たり約２５０ポンド〜１平方インチ当たり約７５０ポンドである、上記１５に記載の冷菓組成物の製造方法。
【手続補正書】
【提出日】平成24年9月24日(2012.9.24)
【手続補正１】
【補正対象書類名】特許請求の範囲
【補正対象項目名】全文
【補正方法】変更
【補正の内容】
【特許請求の範囲】
【請求項１】
ガイド鎖およびパッセンジャー鎖を含む単離された二本鎖核酸分子であって、
前記分子の二本鎖である領域は、８〜１５ヌクレオチド長であり、前記ガイド鎖は、４〜１２ヌクレオチド長の一本鎖領域を含み、前記ガイド鎖の一本鎖領域は、３、４、５、６、７、８、９、１０、１１または１２個のホスホロチオエート修飾を含み、前記二本鎖核酸のヌクレオチドのうち少なくとも４０％は修飾されている、前記二本鎖核酸分子。
【請求項２】
二本鎖領域が、１１、１２、１３もしくは１４ヌクレオチド長であり、および／または、一本鎖領域が少なくとも６ヌクレオチド長もしくは少なくとも７ヌクレオチド長である、請求項１に記載の単離された二本鎖核酸分子。
【請求項３】
一本鎖領域内の各々のヌクレオチドがホスホロチオエート修飾を有する、請求項１または２に記載の単離された二本鎖核酸分子。
【請求項４】
修飾の少なくとも１つが２’Ｏ−メチル修飾または２’−フルオロ修飾であり、および／または、修飾の少なくとも１つが疎水性修飾である、請求項１〜３のいずれか一項に記載の単離された二本鎖核酸分子。
【請求項５】
二本鎖核酸分子、任意に二本鎖核酸分子の３’末端に、疎水性抱合体が結合している、請求項１〜４のいずれか一項に記載の単離された二本鎖核酸分子。
【請求項６】
二本鎖核酸分子が、オステオポンチン（ＳＰＰ１）、ＳＯＤ１またはＭＡＰ４Ｋ４をコードする遺伝子に対するものであり、任意に、ガイド鎖が配列番号170、配列番号40または配列番号25を含む、請求項１〜５のいずれか一項に記載の単離された二本鎖核酸分子。
【請求項７】
単離された非対称核酸分子であって、
第２のポリヌクレオチドおよび標的遺伝子に対して相補的な第１のポリヌクレオチド、および
第２のポリヌクレオチド
を含み、ここで、前記第２のポリヌクレオチドは、前記第１のポリヌクレオチドよりも少なくとも６ヌクレオチド短く、前記第１のポリヌクレオチドは、６、７、８、９、１０、１１または１２ヌクレオチドの一本鎖領域を含み、前記第１のポリヌクレオチドの一本鎖領域は、３、４、５、６、７、８、９、１０、１１または１２個のホスホロチオエート修飾を含み、前記非対称核酸分子は二本鎖領域をも含み、前記二本鎖領域中のＣおよびＵヌクレオチドのうち少なくとも５０％は、２’Ｏ−メチル修飾または２’−フルオロ修飾されている、前記単離された非対称核酸分子。
【請求項８】
一本鎖領域が６または７ヌクレオチド長であり、および／または、一本鎖領域内の各々のヌクレオチドがホスホロチオエート修飾を有する、請求項７に記載の単離された非対称核酸分子。
【請求項９】
非対称核酸分子、任意に非対称核酸分子の３’末端に、疎水性抱合体が結合している、請求項７または８に記載の単離された非対称核酸分子。
【請求項１０】
単離された二本鎖核酸分子であって、
標的遺伝子に対して相補性を有する長さ１７〜２１ヌクレオチドのガイド鎖、および
長さ８〜１６ヌクレオチドのパッセンジャー鎖
を含み、
ここで、前記ガイド鎖および前記パッセンジャー鎖は、二本鎖領域と一本鎖領域とを有する前記二本鎖核酸分子を形成し、前記ガイド鎖は、長さ４〜１２ヌクレオチドの３’一本鎖領域を有し、前記一本鎖領域は２〜１２個のホスホロチオエート修飾を含み、前記二本鎖核酸のヌクレオチドのうち少なくとも４０％は修飾されており、少なくとも１個の修飾は疎水性塩基修飾であり、および／または、前記二本鎖核酸分子は疎水性抱合体に結合している、前記単離された二本鎖核酸分子。
【請求項１１】
疎水性塩基修飾が、ピリミジン塩基の疎水性修飾、任意にピリミジン塩基の４位および５位の疎水性修飾を含み、任意に、疎水性塩基修飾が、ウリジンまたはシチジンの、フェニル、４−ピリジル、２−ピリジル、インドリル、イソブチル、トリプトファニル（Ｃ８Ｈ６Ｎ）ＣＨ２ＣＨ（ＮＨ２）ＣＯ）、メチル、ブチル、アミノベンジルおよびナフチル修飾からなる群から選択される、請求項１０に記載の単離された二本鎖核酸分子。
【請求項１２】
疎水性抱合体が小分子であり、任意に、小分子がステロール型分子であり、任意に、ステロール型分子がコレステロールである、請求項１０または１１に記載の単離された二本鎖核酸分子。
【請求項１３】
疎水性抱合体が二本鎖核酸分子にリンカーを介して結合しており、任意に、リンカーがＴＥＧリンカーである、請求項１０〜１２のいずれか一項に記載の単離された二本鎖核酸分子。
【請求項１４】
単離された一本鎖RISC侵入性ポリヌクレオチドであって、前記ポリヌクレオチド中のヌクレオチドの少なくとも３０％は修飾されており、前記修飾のうち少なくとも２個が疎水性塩基修飾である、前記単離された一本鎖RISC侵入性ポリヌクレオチド。
【請求項１５】
修飾されたヌクレオチドが少なくとも６個のホスホロチオエート修飾を含み、および／または、修飾されたヌクレオチドが少なくとも１個の２’Ｏ−メチル修飾または２’−フルオロ修飾を含む、請求項１４に記載の単離された一本鎖RISC侵入性ポリヌクレオチド。
【請求項１６】
疎水性塩基修飾が、ピリミジン塩基の疎水性修飾、任意にピリミジン塩基の４位および５位の疎水性修飾を含み、任意に、疎水性塩基修飾が、ウリジンまたはシチジンの、フェニル、４−ピリジル、２−ピリジル、インドリル、イソブチル、トリプトファニル（Ｃ８Ｈ６Ｎ）ＣＨ２ＣＨ（ＮＨ２）ＣＯ）、メチル、ブチル、アミノベンジルおよびナフチル修飾からなる群から選択される、請求項１４または１５に記載の単離された一本鎖RISC侵入性ポリヌクレオチド。
【請求項１７】
請求項１〜６、１０〜１３のいずれか一項に記載の単離された二本鎖核酸分子、請求項７〜９のいずれか一項に記載の単離された非対称核酸分子、および／または、請求項１４〜１６のいずれか一項に記載の単離された一本鎖RISC侵入性ポリヌクレオチドを含む、哺乳動物細胞において標的遺伝子の発現を阻害するための組成物。
【請求項１８】
単離された二本鎖核酸分子であって、
ｍｉＲＮＡ配列に対して相同性を有する長さ１５〜２１ヌクレオチドのより長い鎖、および
３’末端において親油性基に結合した長さ８〜１６ヌクレオチドのより短い鎖
を含み、ここで、前記より長い鎖および前記より短い鎖は、二本鎖領域と一本鎖領域とを有する前記二本鎖核酸分子を形成し、ここで、より長い鎖は、少なくとも２個のホスホロチオエート修飾を含む、長さ２〜１３ヌクレオチドの３’一本鎖領域を有し、ヌクレオチドの少なくとも５０％は修飾されている、前記二本鎖核酸分子。
【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
Δ５デサチュラーゼ活性を有して、配列番号１８３（ＨＧＧＧ）、配列番号１８４（ＨＨＧＧ）、配列番号１８６（ＨＣＧＧ）、配列番号１８７（ＨＷＧＧ）、および配列番号１８５（ＨＰＧＳ）からなる群から選択されるアミノ酸モチーフを含んでなる、変異ポリペプチド。
【請求項２】
請求項１に記載のポリペプチドを実質的にコードする、単離された核酸分子。
【請求項３】
請求項１に記載のポリペプチドを発現する微生物宿主細胞。
【請求項４】
ジホモ−γ−リノレン酸の存在下で、請求項１に記載のポリペプチドを発現する微生物宿主細胞を増殖させるステップを含んでなり、前記ジホモ−γ−リノレン酸がアラキドン酸に変換される、アラキドン酸を生成する方法。
【請求項５】
エイコサテトラエン酸の存在下で請求項１に記載のポリペプチドを発現する微生物宿主細胞を増殖させるステップを含んでなり、前記エイコサテトラエン酸がエイコサペンタエン酸に変換される、エイコサペンタエン酸を生成する方法。
【手続補正２】
【補正対象書類名】明細書
【補正対象項目名】０２１０
【補正方法】変更
【補正の内容】
【０２１０】
野生型ＲＤ５Ｓ（すなわちＲＤ５Ｓ−ＨＣＧＧおよびＲＤ５Ｓ−ＨＷＧＧ（配列番号１７９））の転換率以上に機能するこれらの変異の定量分析は、先にＥｇＤ５ＳおよびＥａＤ５Ｓ変異体について記載したように実施される。ＲＤ５Ｓ−ＨＣＧＧをコードする適切なヌクレオチド配列は配列番号１９４で記載され、ＲＤ５Ｓ−ＨＷＧＧをコードする適切なヌクレオチド配列は配列番号１９５で記載される。
本発明のいくつかの実施態様を以下に例示する。
（１）  Δ５デサチュラーゼ活性を有して、配列番号１８３（ＨＧＧＧ）、配列番号１８４（ＨＨＧＧ）、配列番号１８６（ＨＣＧＧ）、配列番号１８７（ＨＷＧＧ）、および配列番号１８５（ＨＰＧＳ）からなる群から選択されるアミノ酸モチーフを含んでなる、変異ポリペプチド。
（２）  配列番号５８（ＥｇＤ５Ｓ−ＨＧＧＧおよびＥｇＤ５Ｓ−ＨＨＧＧ）、配列番号９７（ＥｇＤ５Ｓ−ＨＰＧＳ）、配列番号１３９（ＥａＤ５Ｓ−ＨＣＧＧ）、および配列番号１７９（ＲＤ５Ｓ−ＨＣＧＧおよびＲＤ５Ｓ−ＨＷＧＧ）からなる群から選択されるアミノ酸配列を有する、（１）に記載の変異ポリペプチド。
（３）  親ポリペプチドのジホモ−γ−リノレン酸からアラキドン酸への転換効率を超えるジホモ−γ−リノレン酸からアラキドン酸への転換効率を有する、（１）に記載の変異ポリペプチド。
（４）  （１）に記載のポリペプチドを実質的にコードする、単離された核酸分子。
（５）  配列番号１９０、配列番号１９１、配列番号１９２、配列番号１９３、配列番号１９４、および配列番号１９５からなる群から選択される、（４）に記載の単離された核酸。
（６）  （１）に記載のポリペプチドを発現する微生物宿主細胞。
（７）  細菌、酵母、藻類、ユーグレナ属、ストラメノパイル、卵菌綱、および真菌からなる群から選択される（６）に記載の微生物宿主細胞。
（８）  微生物宿主細胞が油性酵母である、（７）に記載の微生物宿主細胞。
（９）  油性酵母が、ヤロウィア（Ｙａｒｒｏｗｉａ）、カンジダ（Ｃａｎｄｉｄａ）、ロドトルラ（Ｒｈｏｄｏｔｏｒｕｌａ）、ロドスポリジウム（Ｒｈｏｄｏｓｐｏｒｉｄｉｕｍ）、クリプトコッカス（Ｃｒｙｐｔｏｃｏｃｃｕｓ）、トリコスポロン（Ｔｒｉｃｈｏｓｐｏｒｏｎ）、およびリポマイセス（Ｌｉｐｏｍｙｃｅｓ）からなる群から選択される、（８）に記載の微生物宿主細胞。
（１０）  ジホモ−γ−リノレン酸の存在下で、（１）に記載のポリペプチドを発現する微生物宿主細胞を増殖させるステップを含んでなり、前記ジホモ−γ−リノレン酸がアラキドン酸に変換される、アラキドン酸を生成する方法。
（１１）  エイコサテトラエン酸の存在下で（１）に記載のポリペプチドを発現する微生物宿主細胞を増殖させるステップを含んでなり、前記エイコサテトラエン酸がエイコサペンタエン酸に変換される、エイコサペンタエン酸を生成する方法。
（１２）  宿主細胞がω−６脂肪酸およびω−３脂肪酸からなる群から選択される多価不飽和脂肪酸を産生する、（６）に記載の微生物宿主細胞。
【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
体の三次元スキャンから生じる体積データを提供する超音波スキャンアセンブリと、
マージンを超過する少なくとも１つのデータパラメータの変化により特徴付けられる前記体積データ内の領域を検出する関心領域検出器と、
を有する超音波撮像システム。
【請求項２】
前記関心領域検出器が、前記体積データの一部分に基づいて前記少なくとも１つのパラメータに対して決定されたローカル値のセットを、
（ａ）全体として前記体積データに基づいて前記少なくとも１つのパラメータに対して決定されたグローバル値のセット、及び
（ｂ）前記体積データの他の隣接部分に基づいて前記少なくとも１つのパラメータに対して決定されたローカル値の他のセット、
の一方と比較することにより前記関心領域を検出する、請求項１に記載の超音波撮像システム。
【請求項３】
検出された前記領域からスライスを生成するスライス生成器であって、前記スライスが表示装置に表示されることができる、前記スライス生成器、
を有する、請求項１に記載の超音波撮像システム。
【請求項４】
オペレータが関心領域を検出するのに使用される前記少なくとも１つのデータパラメータを指定することができるインタフェースを有する、請求項１に記載の超音波撮像システム。
【請求項５】
関心領域を検出するのに使用される前記少なくとも１つのデータパラメータが、以下のグループ、すなわち、平均ボクセル強度、コントラスト、エントロピ、均一性から選択されたデータパラメータを有する、請求項１に記載の超音波撮像システム。
【請求項６】
前記少なくとも１つのデータパラメータが、ヒストグラムの形式でパラメータのセットを有する、請求項１に記載の超音波撮像システム。
【請求項７】
体の三次元スキャンから生じる体積データを提供する超音波スキャンアセンブリを伴う超音波撮像の方法において、
マージンを超過する少なくとも１つのデータパラメータの変化により特徴付けられる前記体積データ内の関心領域が検出される関心領域検出ステップ、
を有する方法。
【請求項８】
スライスが前記検出された領域から生成されるスライス生成ステップであって、前記スライスが表示装置に表示されることができる、前記スライス生成ステップと、
を有する、請求項７に記載の方法。
【請求項９】
体の三次元スキャンから生じる体積データを提供する超音波スキャンアセンブリと、
プログラム可能なプロセッサと、
を有する超音波撮像システムに対するコンピュータプログラムにおいて、前記コンピュータプログラムは、前記プログラム可能なプロセッサにロードされる場合に、前記プログラム可能なプロセッサが関心領域検出ステップを実行することを可能にし、前記関心領域検出ステップにおいて、マージンを超過する少なくとも１つのデータパラメータの変化により特徴付けられる前記体積データ内の関心領域が検出される、コンピュータプログラム。
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
外面を有する拡張可能構造と、
前記拡張可能構造の前記外面上に施され、ヨウ素と錯体形成した両親媒性ポリマー又はコポリマーとを含む両親媒性ポリマー皮膜と、前記ヨウ素と錯体形成された前記両親媒性ポリマー又はコポリマー中に拡散された疎水性治療剤と、
を含むことを特徴とする医療用使い捨て装置。
【請求項２】
前記両親媒性ポリマー又はコポリマーが、非イオン化熱可塑性物質である、ことを特徴とする請求項１に記載の医療用使い捨て装置。
【請求項３】
前記両親媒性ポリマー又はコポリマーが、ヒドロキシプロピルセルロース（ＨＰＣ）及びポリビニルピロリドン（ＰＶＰ）からなる群から選択される、
ことを特徴とする請求項２に記載の医療用使い捨て装置。
【請求項４】
前記両親媒性ポリマー皮膜が、分子量が１０Ｋダルトン未満のポリエチレングリコール、プロピレングリコール、クエン酸トリエチル、グリセロール、及びセバシン酸ジブチルからなる群から選択された可塑剤、または、
蜜ろう、カルナバろう、ポリプロピレングリコール、ポリジメチルシロキサン（ＰＤＭＳ）、及びＰＤＭＳ誘導体をからなる群から選択されたワックスをさらに含む、
ことを特徴とする請求項１に記載の医療用使い捨て装置。
【請求項５】
前記治療剤が、抗増殖剤、抗血小板剤、抗炎症剤、抗血栓剤、及び血栓溶解剤からなる群から選択される、
ことを特徴とする請求項１に記載の医療用使い捨て装置。
【請求項６】
前記治療剤が、パクリタキセル及び酢酸デキサメタゾンからなるグループから選択されている、ことを特徴とする請求項１に記載の医療用使い捨て装置。
【請求項７】
前記拡張可能構造を覆って伸びることができるとともに前記拡張可能構造から引き込み可能なシースをさらに含む、
ことを特徴とする請求項１に記載の医療用使い捨て装置。
【請求項８】
前記拡張可能構造が、バルーンカテーテルのバルーンである、ことを特徴とする請求項１に記載の医療用使い捨て装置。
【請求項９】
前記両親媒性ポリマー皮膜が、少なくとも１つの治療剤と、ヨウ素と錯体形成した少なくとも１つの両親媒性ポリマー又はコポリマーとで構成される皮膜と、
を含むことを特徴とする請求項１に記載の医療用使い捨て装置。
【請求項１０】
前記ヨウ素が、該ヨウ素と錯体形成した前記両親媒性ポリマー又はコポリマーの１〜３０％の重量比で皮膜中に存在する、
ことを特徴とする請求項１に記載の医療用使い捨て装置。
【請求項１１】
前記治療剤が、前記外面上に約０．１〜１０．０μｇ／ｍｍ２の濃度で存在する、
ことを特徴とする請求項１０に記載の医療用使い捨て装置。
【請求項１２】
前記両親媒性ポリマー皮膜が、２５〜１００％の治療剤対ポリマーマトリクス重量比を有する、
ことを特徴とする請求項１０に記載の医療用使い捨て装置。
【請求項１３】
前記両親媒性ポリマー皮膜が、さらに第２の両親媒性ポリマー、を含む、ことを特徴とする請求項１０に記載の医療用使い捨て装置。
【請求項１４】
前記ヨウ素および疎水性治療剤が、前記両親媒性ポリマー皮膜を通して拡散していることを特徴とする請求項１に記載の医療用使い捨て装置。
【請求項１５】
少なくとも９０％の前記両親媒性ポリマー皮膜が生体内の前記拡張可能構造を拡張させる３００秒以内に溶解することを特徴とする請求項１に記載の医療用使い捨て装置。
【請求項１６】
医療用使い捨て装置を被覆する方法であって、
拡張可能部分を有する医療用使い捨て装置を提供するステップと、
前記拡張可能部分の外面上に両親媒性ポリマー皮膜を形成するステップと、
を含み、
前記両親媒性ポリマー皮膜が、ヨウ素と錯体形成した両親媒性ポリマー又はコポリマーと、前記ヨウ素と錯体形成された前記両親媒性ポリマー又はコポリマー中に拡散された疎水性治療剤とを含む、
ことを特徴とする方法。
【請求項１７】
前記治療剤が、抗増殖剤、抗血小板剤、抗炎症剤、抗血栓剤、及び血栓溶解剤からなる群から選択される、
ことを特徴とする請求項１６に記載の方法。
【請求項１８】
前記両親媒性ポリマー皮膜が、前記拡張可能部分を被覆溶液中で浸漬被覆するステップを含む、
ことを特徴とする請求項１６に記載の方法。
【請求項１９】
前記両親媒性ポリマー皮膜が、前記被覆溶液中で単一浸漬を利用して形成される、
ことを特徴とする請求項１８に記載の方法。
【請求項２０】
前記被覆溶液が、大部分又は全体が非水性の溶媒中に溶解した前記１又はそれ以上の両親媒性ポリマー又はコポリマーと前記治療剤とを含み、前記被覆溶液が５ｃｐｓ〜７５ｃｐｓの粘度を有する、
ことを特徴とする請求項１８に記載の方法。
【請求項２１】
前記拡張可能部分を前記被覆溶液中に浸漬する前に、前記拡張可能部分を拡張させるステップをさらに含む、
ことを特徴とする請求項１８に記載の方法。
【請求項２２】
疎水性治療剤と、第１の低級アルコールと、アセトンとを含む第１の溶液を調製するステップと、
第２の低級アルコールと、ヨウ素と、前記両親媒性ポリマー又はコポリマーとを含む第２の溶液を調製するステップと、
前記第１及び第２の溶液を混合して被覆溶液を形成するステップと、
医療用使い捨て装置の拡張可能構造を前記被覆溶液中に浸漬被覆するステップと、
を含むことを特徴とする請求項１６に記載の方法。
【請求項２３】
前記第２の溶液を調製するステップが、前記ヨウ素を前記第２の低級アルコール中に溶解させるステップと、その後前記両親媒性ポリマー又はコポリマーを加えるステップとを含む、
ことを特徴とする請求項２２に記載の方法。
【請求項２４】
前記第１の低級アルコールがエタノールを含み、前記第２の低級アルコールが２−プロパノールを含む、ことを特徴とする請求項２２に記載の方法。
【請求項２５】
前記治療剤がパクリタキセルである、
ことを特徴とする請求項２２に記載の方法。
【請求項２６】
前記浸漬被覆するステップの前に、前記医療用使い捨て装置の前記拡張可能構造をアルゴンプラズマ中で処理するステップをさらに含む、
ことを特徴とする請求項２２に記載の方法。
【請求項２７】
前記両親媒性ポリマーがＰＶＰ又はＨＰＣである、
ことを特徴とする請求項２２に記載の方法。
【請求項２８】
前記浸漬被覆するステップが、前記医療用使い捨て装置の前記拡張可能構造を前記被覆溶液から０．０５〜０．４インチ／分の速度で取り出すステップを含む、
ことを特徴とする請求項２２に記載の方法。
【手続補正書】
【提出日】平成24年9月6日(2012.9.6)
【手続補正１】
【補正対象書類名】特許請求の範囲
【補正対象項目名】請求項６
【補正方法】変更
【補正の内容】
【請求項６】
管の第１の端部が、有翼の一体型の物体、円錐形、円錐台形状、球根状の形状、斜めの構成、丸みを帯びた形状、球形、楕円形、及び先のとがっていない形状のうちの少なくとも１つとして構成される、請求項１に記載の手術器具。
【手続補正２】
【補正対象書類名】特許請求の範囲
【補正対象項目名】請求項２７
【補正方法】変更
【補正の内容】
【請求項２７】
請求項１に記載の手術器具及び少なくとも第２の手術器具の各々のブレード部材が刃先を更に備えており、前記ブレード部材の前記刃先が遠位方向に位置している、請求項２６に記載の手術器具キット。
【手続補正３】
【補正対象書類名】特許請求の範囲
【補正対象項目名】請求項２８
【補正方法】変更
【補正の内容】
【請求項２８】
請求項１に記載の手術器具及び少なくとも第２の手術器具の各々の刃先が、直線、湾曲、管に対して斜め、Ｖ字形、及び鋸歯状として構成される、請求項２７に記載の手術器具キット。
【手続補正４】
【補正対象書類名】特許請求の範囲
【補正対象項目名】請求項２９
【補正方法】変更
【補正の内容】
【請求項２９】
請求項１に記載の手術器具及び少なくとも第２の手術器具の各々のブレード部材が、管とモジュール式のボタン部材とに着脱可能に連結している、請求項２６に記載の手術器具キット。
【手続補正５】
【補正対象書類名】特許請求の範囲
【補正対象項目名】請求項３０
【補正方法】変更
【補正の内容】
【請求項３０】
請求項１に記載の手術器具及び少なくとも第２の手術器具の各々が、第１のモジュール式の管及び少なくとも第２のモジュール式の管を更に備え、前記第１のモジュール式の管及び少なくとも前記第２のモジュール式の管の各々が、第１の端部及び第２の端部と、両者の間を延びている長手軸とを有しており、前記第１の端部は手術器具の体への挿入を容易にするように構成され、そして、前記第２の端部はハンドルの遠位端へ着脱可能に連結するように構成される、請求項２６に記載の手術器具キット。
【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
過剰増殖性疾患が腫瘍崩壊性のレオウイルスまたはミキソーマウイルスのうち少なくともいずれか一方に対する感受性を有するかどうかを判定する方法であって、
（ａ）患者から得られた過剰増殖性細胞を提供するステップと；
（ｂ）前記過剰増殖性細胞由来のｐ５３、Ｒｂ、及びＡＴＭのうちの一つ以上の遺伝子または遺伝子産物の、構造、機能、または発現を評価するステップと；
（ｃ）前記過剰増殖性細胞の前記構造、機能、または発現を、ｐ５３、Ｒｂ、及びＡＴＭのうちの一つ以上の遺伝子または遺伝子産物の野生型の構造、機能、または発現と比較するステップとを含んでなり、ｐ５３、Ｒｂ、またはＡＴＭのうちの一つ以上の構造、機能、または発現における欠陥は、前記過剰増殖性疾患が腫瘍崩壊性のレオウイルスまたはミキソーマウイルスのうち少なくともいずれか一方に対する感受性を有することを示す、方法。
【請求項２】
前記過剰増殖性細胞は悪性細胞または良性細胞である、請求項１に記載の方法。
【請求項３】
患者の過剰増殖性疾患を治療するための組成物であって、
前記組成物は、レオウイルス剤及びミキソーマウイルス剤のうちの少なくとも一つと、製薬的に許容される賦形剤とを含み、前記ウイルス剤は過剰増殖性細胞における変異した腫瘍抑制遺伝子に対する腫瘍崩壊効果を示す、組成物。
【請求項４】
非ウイルス性のがん治療剤を更に含む、請求項３に記載の組成物。
【請求項５】
前記治療剤は、化学療法剤、放射線療法剤、ホルモン療法剤、遺伝子療法剤、免疫療法剤、成体幹細胞剤、及びｐ５３、Ｒｂ、又はＡＴＭの機能又は発現の阻害剤、からなる群より選択される、請求項４に記載の組成物。
【請求項６】
前記患者はがんに罹患している、請求項３乃至５のいずれか一項に記載の組成物。
【請求項７】
前記レオウイルス剤は、野生型レオウイルスである、請求項３乃至５のいずれか一項に記載の組成物。
【請求項８】
前記レオウイルス剤は、弱毒化レオウイルスである、請求項３乃至５のいずれか一項に記載の組成物。
【請求項９】
前記弱毒化レオウイルスは、欠陥を有するσ１カプシドタンパク質を発現するか、検出不能なσ１カプシドタンパク質を発現するか、またはσ１カプシドタンパク質を発現しないレオウイルスを利用する、請求項８に記載の組成物。
【請求項１０】
前記ミキソーマウイルス剤は、野生型ミキソーマウイルスである、請求項３乃至５のいずれか一項に記載の組成物。
【請求項１１】
第２の抗過剰増殖剤を更に含む、請求項３乃至５のいずれか一項に記載の組成物。
【請求項１２】
前記レオウイルス剤又はミキソーマウイルス剤でｅｘ  ｖｉｖｏ治療された前記患者由来の成体幹細胞剤を更に含む、請求項３乃至５のいずれか一項に記載の組成物。
【請求項１３】
前記抗過剰増殖剤は、５−フルオロウラシル、ブレオマイシン、ブスルファン、カンプトテシン、カルボプラチン、クロラムブシル、シスプラチン（ＣＤＤＰ）、シクロホスファミド、ダクチノマイシン、ダウノルビシン、ドキソルビシン、エストロゲン受容体結合作用薬、エトポシド（ＶＰ１６）、ファルネシル−タンパク質転移酵素阻害剤、ゲムシタビン、イホスファミド、メクロレタミン、メルファラン、マイトマイシン、ナベルビン、ニトロソウレア、プリコマイシン、プロカルバジン、ラロキシフェン、タモキシフェン、タキソール、テマゾロマイド（ＤＴＩＣの水性形態）、トランスプラチナ、ビンブラスチンおよびメトトレキセート、ビンクリスチン、またはこれらの任意の類似体もしくは誘導体である、請求項１１に記載の組成物。
【請求項１４】
前記過剰増殖性細胞は悪性細胞または良性細胞である、請求項３乃至５のいずれか一項に記載の組成物。
【手続補正書】
【提出日】平成24年9月12日(2012.9.12)
【手続補正１】
【補正対象書類名】特許請求の範囲
【補正対象項目名】全文
【補正方法】変更
【補正の内容】
【特許請求の範囲】
【請求項１】
患者の選択した組織を治療するための装置であって；
パルスレーザービームを生成するパルスレーザー源と；
焦点チップと；
前記パルスレーザービームを前記パルスレーザー源から前記焦点チップ内へ伝達する光ファイバーと；を含み、
前記焦点チップは前記パルスレーザービームを標的の前記組織にフォーカスするよう構成され、半径ｒを有するスポットを形成し；
前記組織に対して０．１（Ｊ／ｃｍ３）２から１．０（Ｊ／ｃｍ３）２のピーク強度フルエンス(ＰＩＦ)を有したパルスレーザービームであって、前記ピーク強度フルエンスは、
【数７】
2012502677.tif 000001
によって定義され、Ｉｐは前記パルスレーザービームのパルスのピーク強度であり、Ｅは前記パルスのエネルギーであり、τｏｎは前記パルスの幅であり、τｏｆｆはパルス間の幅であり、ｒは、前記患者上の前記パルスレーザービームによって形成されたスポットの半径であり、αは、前記パルスレーザービームの波長λでの吸水係数（ｃｍ−１）である、装置。
【請求項２】
前記パルスのピーク出力が４００Ｗから５０ｋＷであり、前記パルスの幅が１マイクロ秒から５００マイクロ秒であり、前記パルスレーザービームのデューティサイクルが、０．０１％から０．５％である、請求項１に記載の装置。
【請求項３】
前記レーザービームの波長が０．７５マイクロメーターから２．５マイクロメーターである、請求項１又は２に記載の装置。
【請求項４】
前記組織は関節軟骨である、請求項１乃至３に記載の装置。
【請求項５】
前記パルスのピーク出力、前記パルスの幅、及び、前記パルスレーザービームのデューティサイクルが選択され、前記組織に、組み合わされたフォトメカニカルとフォトケミカルの効果を及ぼす、先行する請求項の何れかに記載の装置。
【請求項６】
前記組織上の前記焦点チップによって形成されるスポットの直径が、１ミリメートルから２０ミリメートルである、先行する請求項の何れかに記載の装置。
【請求項７】
前記焦点チップが、前記組織において皮膚の表面から約０．５ｃｍから約１０ｃｍの深さで前記組織内のスポットに前記パルスレーザービームの焦点を合わせる、先行する請求項の何れかに記載の装置。
【請求項８】
前記光ファイバーと前記焦点チップは前記パルスレーザービームを皮膚を通して又は経皮的に適用する、先行する請求項の何れかに記載の装置。
【請求項９】
前記焦点チップを少なくとも部分的に覆うゲルを更に含み、前記ゲルは、前記皮膚と前記焦点チップとの光インピーダンスの不一致を減らす、先行する請求項の何れかに記載の装置。
【請求項１０】
前記焦点チップは円筒形要素及び曲面を含み、前記円筒形要素は約３ｃｍ長から約４ｃｍ長であり、約１．５ｃｍから約２．５ｃｍの直径を有し、前記曲面は約１０ｍｍから約１００ｍｍの曲率半径を有する、先行する請求項の何れかに記載の装置。
【請求項１１】
前記焦点チップは、前記治療を適用する際に前記皮膚を一時的に加圧するように用いられる、先行する請求項の何れかに記載の装置。
【請求項１２】
前記パルスレーザービームによって導かれるフォトメカニカル効果は、前記組織上に軟骨形成作用を刺激する、先行する請求項の何れかに記載の装置。
【請求項１３】
前記パルスレーザービームによって導かれるフォトケミカル効果は、細胞分化をコントロールし、そうして健康なヒアリン軟骨組織が再生する、先行する請求項の何れかに記載の装置。
【請求項１４】
光ファイバー結合器を更に含み、該光ファイバー結合器は前記光ファイバーを前記焦点チップへ連結する、先行する請求項の何れかに記載の装置。
【請求項１５】
ゲルで部分的に覆われ、密封パッケージに囲まれた少なくとも１つの焦点チップを含むキットであって、前記焦点チップは、先行する請求項の何れかに記載のレーザー装置と共に使用される、キット。
【手続補正書】
【提出日】平成24年10月3日(2012.10.3)
【手続補正１】
【補正対象書類名】特許請求の範囲
【補正対象項目名】全文
【補正方法】変更
【補正の内容】
【特許請求の範囲】
【請求項１】
回転制御ダイヤルを備える装置のための制御インターフェースであって、
装置制御のメニューを表示するディスプレイと、
前記メニュー内をナビゲートするためにユーザによって操作される回転制御ダイヤルと、
前記装置制御のメニューに対する入力を前記メニュー内の既知の位置に生じさせるメニュー制御と
を備え、
前記メニュー制御は、前記メニューのナビゲーションにおける前記ユーザによる前記制御ダイヤルへの操作から、少なくとも１つのユーザパラメータを決定し、前記メニュー内の前記制御ダイヤルへの以後の操作に対して、決定された前記ユーザパラメータを適用する、制御インターフェース。
【請求項２】
前記装置制御のメニューは複数のメニューレベルを含む、請求項１に記載の制御インターフェース。
【請求項３】
前記メニュー制御は、他のメニューレベル内の前記ユーザによる前記制御ダイヤルへの以後の操作に対してもまた、決定された前記ユーザパラメータを適用する、請求項２に記載の制御インターフェース。
【請求項４】
少なくとも１つのユーザーパラメータは、新たなメニューレベルが入力される各々のときにおいて決定及び適用される、請求項２に記載の制御インターフェース。
【請求項５】
前記メニュー制御は、前記装置の同一のユーザセッション内の全てのメニューレベル内の前記ユーザによる前記制御ダイヤルへの以後の操作に対して、決定された前記ユーザパラメータを適用する、請求項２に記載の制御インターフェース。
【請求項６】
前記ユーザパラメータは、前記メニュー内の方向をナビゲートするために前記ユーザが前記ダイヤルを回す方向を含む、請求項１から５の何れか１項に記載の制御インターフェース。
【請求項７】
前記メニュー制御は、前記メニュー内の直線方向に対して前記ユーザが前記ダイヤルを最初に回す回転方向を決定し、前記回転方向を前記直線方向に割り当てる、請求項６に記載の制御インターフェース。
【請求項８】
前記メニュー内の前記直線方向は、下方向である、請求項７に記載の制御インターフェース。
【請求項９】
前記装置は呼吸装置である、請求項１から８の何れか１項に記載の制御インターフェース。
【請求項１０】
前記呼吸装置は、睡眠呼吸障害を治療するためのフロージェネレータである、請求項９に記載の制御インターフェース。
【請求項１１】
陽圧で呼吸可能なガス供給を患者に提供するフロージェネレータと、
前記フロージェネレータに対する装置制御のメニューを表示するディスプレイ、前記メニュー内をナビゲートするためにユーザによって操作される回転制御ダイヤル、及び前記装置制御のメニューに対する入力を前記メニュー内の既知の位置に生じさせるメニュー制御を含む制御インターフェースと
を備え、
前記メニュー制御は、前記メニューのナビゲーションにおける前記ユーザによる前記制御ダイヤルへの操作から、少なくとも１つのユーザパラメータを決定し、前記メニュー内の前記制御ダイヤルへの以後の操作に対して、決定された前記ユーザパラメータを適用する、睡眠呼吸障害を治療するための装置。
【請求項１２】
前記メニュー制御は、他のメニュー内の前記ユーザによる前記制御ダイヤルへの以後の操作に対してもまた、決定された前記ユーザパラメータを適用する、請求項１１に記載の装置。
【請求項１３】
前記メニュー制御は、前記装置の同一のユーザセッション内の前記ユーザによる前記制御ダイヤルへの以後の操作に対して、決定された前記ユーザパラメータを適用する、請求項１２に記載の装置。
【請求項１４】
前記ユーザパラメータは、前記メニュー内の方向をナビゲートするために前記ユーザが前記ダイヤルを回す方向を含む、請求項１１から１３の何れか１項に記載の装置。
【請求項１５】
前記メニュー制御は、前記メニュー内の直線方向に対して前記ユーザが前記ダイヤルを最初に回す回転方向を決定し、前記回転方向を前記直線方向に割り当てる、請求項１４に記載の装置。
【請求項１６】
前記メニュー内の前記直線方向は、下方向である、請求項１５に記載の装置。
【請求項１７】
スタート／ストップボタンと、
ディスプレイと、
２つのメニューキーと、
プッシュボタンダイヤルと
を備える、ＣＰＡＰ装置のためのコントローラセット。
【請求項１８】
前記ディスプレイは、カラーディスプレイである、請求項１７に記載のコントローラセット。
【請求項１９】
睡眠呼吸障害を治療するための呼吸装置のためのユーザインターフェースであって、
請求項１７または１８に記載のコントローラセットを備え、
少なくとも１つのメニューキーが、呼吸治療の提供中に、前記少なくとも１つのメニューキーが１回目にアクティブにされることにより、他のメニュー表示を表示し、前記少なくとも１つのメニューキーが２回目にアクティブにされることにより、前の状態の表示に戻るように構成及び配置される、ユーザインターフェース。
【請求項２０】
陽圧で空気供給を提供するフロージェネレータと、
加湿器と、
プッシュボタンダイヤルを有するコントローラセットと
を備え、
前記プッシュボタンダイヤルは、加湿レベル、治療圧力、ランプ時間及び加熱管温度の組から選択された少なくとも２つのパラメータを択一的に調整できるようにプログラムされた、睡眠呼吸障害を治療するための装置。
【請求項２１】
前記コントローラセットは、前記フロージェネレータ上に設けられる、請求項２０に記載の装置。
【請求項２２】
陽圧で空気供給を提供する装置と、
加湿器と、
ダイヤルを有するコントローラセットと
を備え、
前記ダイヤルは、少なくとも２つの状態に設定可能であり、第１の状態の間には、前記ダイヤルの回転により、加湿レベルが調整され、前記装置の実行モードの間に、前記コントローラセットとの相互作用が無い期間の後に、前記ダイヤルは前記第１の状態に自動的に戻る、睡眠呼吸障害を治療するための装置。
【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
コーティング層を含む表面を有するメディカルデバイスであって、該コーティング層はヘパリン部分を含む生体適合性組成物であり、前記ヘパリン部分はその還元性末端により、１，２，３−トリアゾールを含むリンクによって前記表面に共有末端結合されている、メディカルデバイス。
【請求項２】
前記ヘパリン部分は全長ヘパリンである、請求項１記載のデバイス。
【請求項３】
前記表面は２層以上のコーティング層を含み、外側コーティング層のみが前記ヘパリン部分に結合している、請求項１又は２記載のデバイス。
【請求項４】
カチオンポリマー及びアニオンポリマーのコーティングバイレイヤを１つ以上含み、最内層はカチオンポリマーの層であり、そして最外層は前記ヘパリン部分に共有結合したカチオンポリマーの層である、請求項１〜３のいずれか１項記載のデバイス。
【請求項５】
同一のタイプの複数のリンクを含み、かつ、必要により１つより多くのヘパリン部分が各リンクに結合している、請求項１〜４のいずれか１項記載のデバイス。
【請求項６】
前記コーティングはカチオンポリマーとしてポリアミンを含む、請求項１〜５のいずれか１項記載のデバイス。
【請求項７】
前記コーティングは高平均分子量ポリアミンの層及びアニオンポリマーとしてアニオン性ポリサッカリドの層を含む、請求項６記載のデバイス。
【請求項８】
前記ポリアミンは架橋されている、請求項６又は７記載のデバイス。
【請求項９】
前記デバイスは少なくとも２ピコモルアンチトロンビンＩＩＩ毎平方センチメートル表面（pmol/cm2）のアンチトロンビンＩＩＩ結合活性を有する、請求項１〜８のいずれか１項記載のデバイス。
【請求項１０】
官能化カチオンポリマー外側層を含み、ヘパリン部分がその還元性末端において、１，２，３−トリアゾールを含むリンクによって前記カチオンポリマー外側層に末端結合している、非血栓形成性である請求項１記載のメディカルデバイス。
【請求項１１】
（１）(a)アジド基を有するように官能化されたカチオンポリマー表面層を呈するようにメディカルデバイスを処理すること、
(b)アジド基を有するように官能化された前記カチオンポリマー表面層を、還元性末端においてアルキン基を有するように官能化されたヘパリン部分と反応させること、
を含み、それにより、１，２，３−トリアゾールを含むリンクによって前記ヘパリン部分を前記デバイスに結合させる方法；又は
（２）(a)アルキン基を有するように官能化されたカチオンポリマー表面層を呈するようにメディカルデバイスを処理すること、
(b)アルキン基を有するように官能化された前記カチオンポリマー表面層を、還元性末端においてアジド基を有するように官能化されたヘパリン部分と反応させること、
を含み、それにより、１，２，３−トリアゾールを含むリンクによって前記ヘパリン部分を前記デバイスに結合させる、方法；又は
（３）(a)カチオンポリマー表面層を呈するようにメディカルデバイスを処理すること、
(b)複数の負に帯電したヘパリン部分を有し、該ヘパリン部分がその還元性末端において、１，２，３−トリアゾールを含むリンクによって結合された、正味で負の電荷を有する、官能化されたカチオンポリマーを、前記カチオンポリマー表面層と結合させること、
を含む、方法；又は
（４）(a)アニオンポリマー表面層を呈するようにメディカルデバイスを処理すること、
(b)複数の負に帯電したヘパリン部分を有し、該ヘパリン部分がその還元性末端において、１，２，３−トリアゾールを含むリンクによって結合された、正味で正の電荷を有する、官能化されたカチオンポリマーを、前記アニオンポリマー表面層と結合させること、
を含む、方法
により得ることができる、請求項１０記載の非血栓形成性メディカルデバイス。
【請求項１２】
方法（４）において、前記アニオンポリマーはデキストランスルフェート又はその誘導体である、請求項１１記載の非血栓形成性メディカルデバイス。
【請求項１３】
前記カチオンポリマーはポリアミンである、請求項１１又は１２記載の非血栓形成性メディカルデバイス。
【請求項１４】
前記ヘパリン部分は全長ヘパリン部分である、請求項１０〜１３のいずれか１項記載の非血栓形成性メディカルデバイス。
【請求項１５】
還元性末端においてアルキン基を有するヘパリン部分を、アジド基を有する対応する表面と反応させること、又は、還元性末端においてアジド基を有するヘパリン部分を、アルキン基を有する対応する表面と反応させることを含む、請求項１〜１４のいずれか１項記載のメディカルデバイスの製造方法。
【請求項１６】
デバイスが１層以上のポリサッカリド及びポリアミンの層を含む表面を有する、請求項１５記載の方法であって、
ポリサッカリドの外側層を有する表面を、１，２，３−トリアゾールを含むリンクにより、還元性末端においてポリアミンに結合されたヘパリン部分を有するポリアミンと反応させること、又は、ポリサッカリドの外側層を有する表面を、アジド基又はアルキン基を有するポリアミンと反応させ、得られた生成物を、それぞれ、還元性末端においてアルキン基又はアジド基を含むヘパリン部分と反応させること、を含む、製造方法。
【請求項１７】
アジド基又はアルキン基を有するポリアミン表面を有するメディカルデバイスであって、前記アジド基又はアルキン基は、必要によりポリアミン表面のアミノ基とリンカーにより結合されているメディカルデバイス。
【請求項１８】
哺乳類血液と相互作用して凝固又は血栓形成を防止することができるヘパリン部分であって、該ヘパリン部分はアルキン基又はアジド基を有し、該アルキン基又はアジド基はリンカーに結合されており、該リンカーは前記ヘパリン部分の還元性末端に末端点で結合している、ヘパリン部分。
【請求項１９】
１つ以上のアジド基又は１つ以上のアルキン基を有する官能化ポリアミン。
【請求項２０】
ヘパリン部分を、その還元性末端において、ポリアミンに対して、１，２，３−トリアゾールを含むリンクを介して結合してなる、官能化ポリアミン。